(57)【要約】【課題】信頼度の高い被検眼の固有特性情報を取得することが可能な仕組みを提供する。【解決手段】被検眼に光を照射して被検眼の検査を行う眼科装置において、被検眼に照射する光と被検眼からの光の反射光とのうちの少なくとも１つをリング光束として通過させる光学部材２０７と、光学部材２０７を通過したリング光束に基づくリング像を含む画像を撮像する撮像素子と、撮像素子で得られた画像に含まれるリング像を用いて被検眼の固有特性情報を取得する取得手段と、被検眼の混濁または被検眼に付着した異物による光の散乱によって生じるリング像のリング幅の不均一を低減するために、光学部材２０７のリング幅を切り替える光学部材切替手段を備える。【選択図】図４
2017051429.tif 000002
【特許請求の範囲】
【請求項１】
被検眼に光を照射して前記被検眼の検査を行う眼科装置であって、
前記被検眼に照射する光と前記被検眼からの前記光の反射光とのうちの少なくとも１つをリング光束として通過させる光学部材と、
前記リング光束に基づくリング像を含む画像を撮像する撮像手段と、
前記画像に含まれるリング像を用いて前記被検眼の固有特性情報を取得する取得手段と、
前記被検眼の混濁または前記被検眼に付着した異物による前記光の散乱によって生じる前記リング像のリング幅の不均一を低減するために、前記光学部材のリング幅を切り替える切替手段と、
を有することを特徴とする眼科装置。
【請求項２】
前記画像に含まれる前記リング像を近似して楕円を算出する楕円算出手段と、
前記楕円を算出した際の近似の精度に基づく信頼度を算出する信頼度算出手段と、
を更に有し、
前記切替手段は、前記信頼度が所定閾値よりも高くない場合に、前記光学部材のリング幅を、現在のリング幅よりも小さいリング幅に切り替えることを特徴とする請求項１に記載の眼科装置。
【請求項３】
前記信頼度が前記所定閾値よりも高くない場合に、
前記撮像手段は、前記切替手段によりリング幅が切り替えられた前記光学部材を通過した前記リング光束に基づくリング像を含む画像を再度撮像し、
前記取得手段は、前記再度撮像により得られた画像に含まれるリング像を用いて前記被検眼の固有特性情報を再度取得し、
前記楕円算出手段は、前記再度撮像により得られた画像に含まれるリング像を近似して楕円を再度算出し、
前記信頼度算出手段は、前記楕円算出手段により楕円を前記再度算出した際の近似の精度に基づく信頼度を再度算出することを特徴とする請求項２に記載の眼科装置。
【請求項４】
前記信頼度が前記所定閾値よりも高い場合に、前記取得手段で取得した前記被検眼の固有特性情報を出力する出力手段を更に有することを特徴とする請求項２に記載の眼科装置。
【請求項５】
前記取得手段は、前記楕円に応じて前記被検眼の固有特性情報を取得することを特徴とする請求項２乃至４のいずれか１項に記載の眼科装置。
【請求項６】
前記被検眼の診断結果に係る情報または前記被検眼の検査モードに係る情報を入力する情報入力手段を更に有し、
前記切替手段は、前記情報入力手段から入力された情報に応じて前記光学部材のリング幅を切り替えることを特徴とする請求項１に記載の眼科装置。
【請求項７】
前記光学部材として、リング幅が異なる複数の光学部材が設けられており、
前記切替手段は、前記複数の光学部材を切り替えることにより、前記光学部材のリング幅を切り替えることを特徴とする請求項１乃至６のいずれか１項に記載の眼科装置。
【請求項８】
検者の選択指示に従って前記複数の光学部材の中から１つの光学部材を選択する選択手段を更に有し、
前記切替手段は、前記選択手段で選択された光学部材に応じて前記光学部材のリング幅を切り替えることを特徴とする請求項７に記載の眼科装置。
【請求項９】
前記複数の光学部材は、リング幅に加えてリング径も更に異なるものであり、
前記切替手段は、前記被検眼の瞳孔の大きさに応じて前記光学部材のリング径を更に切り替えることを特徴とする請求項７または８に記載の眼科装置。
【請求項１０】
前記光学部材は、当該眼科装置の撮像光学系に構成されていることを特徴とする請求項１乃至９のいずれか１項に記載の眼科装置。
【請求項１１】
前記光学部材は、当該眼科装置の投影光学系に構成されていることを特徴とする請求項１乃至９のいずれか１項に記載の眼科装置。
【請求項１２】
被検眼に光を照射して前記被検眼の検査を行う眼科装置であって、
前記被検眼に照射する光と前記被検眼からの前記光の反射光とのうちの少なくとも１つをリング光束として通過させる光学部材と、
前記リング光束に基づくリング像を含む画像を撮像する撮像手段と、
前記画像に含まれるリング像を用いて前記被検眼の固有特性情報を取得する取得手段と、
前記光学部材のリング幅を切り替える切替手段と、
を有することを特徴とする眼科装置。
【請求項１３】
被検眼に光を照射して前記被検眼の検査を行うものであり、前記被検眼に照射する光と前記被検眼からの前記光の反射光とのうちの少なくとも１つをリング光束として通過させる光学部材を備える眼科装置の制御方法であって、
前記リング光束に基づくリング像を含む画像を撮像する撮像ステップと、
前記画像に含まれるリング像を用いて前記被検眼の固有特性情報を取得する取得ステップと、
前記被検眼の混濁または前記被検眼に付着した異物による前記光の散乱によって生じる前記リング像のリング幅の不均一を低減するために、前記光学部材のリング幅を切り替える切替ステップと、
を有することを特徴とする眼科装置の制御方法。
【請求項１４】
被検眼に光を照射して前記被検眼の検査を行うものであり、前記被検眼に照射する光と前記被検眼からの前記光の反射光とのうちの少なくとも１つをリング光束として通過させる光学部材を備える眼科装置の制御方法であって、
前記リング光束に基づくリング像を含む画像を撮像する撮像ステップと、
前記画像に含まれるリング像を用いて前記被検眼の固有特性情報を取得する取得ステップと、
前記光学部材のリング幅を切り替える切替ステップと、
を有することを特徴とする眼科装置の制御方法。
【請求項１５】
請求項１３または１４に記載の眼科装置の制御方法における各ステップをコンピュータに実行させるためのプログラム。
【発明の詳細な説明】
【技術分野】
【０００１】
本発明は、被検眼に光を照射して被検眼の検査を行う眼科装置及びその制御方法、並びに、当該制御方法をコンピュータに実行させるためのプログラムに関するものである。
【背景技術】
【０００２】
従来、被検眼の固有特性情報の一種として、被検眼の眼屈折力情報を測定する眼科装置が開発されている。この眼屈折力情報を測定する眼科装置としては、被検眼の眼底部に測定用のスポット光を投影し、その反射光をリング状の絞りを用いてリング像として撮像した後、撮像されたリング像の形状を求めることにより、眼屈折力の測定値を算出する方法が知られている。
【０００３】
特許文献１には、リング像の形状を求めるために、中心から水平、垂直及び斜め方向に走査して重心座標を求め、全方向の重心座標から楕円近似を行い、これにより求められた楕円の長径と短径及び長径軸の傾きを算出して、被検眼の眼屈折力、乱視、乱視軸角度を算出する眼科装置が開示されている。
【先行技術文献】
【特許文献】
【０００４】
【特許文献１】特開２００１−２６９３１５号公報
【特許文献２】特開２０１２−１４８１３４号公報
【特許文献３】特開２００６−５５４６４号公報
【発明の概要】
【発明が解決しようとする課題】
【０００５】
被検眼によっては、水晶体の一部に白内障混濁がある場合や硝子体に混濁を有する場合がある。図１は、被検眼の一部領域に混濁が存在する場合の前眼部画像、並びに、リング像を含む画像及びその輝度分布の一例を示す図である。具体的に、図１（ａ）は、被検眼の一部領域に混濁が存在する場合の前眼部画像を示す。このような被検眼では、眼底部からの反射光は混濁領域によって散乱されてしまい、図１（ｂ）に示すように撮像素子で撮像されるリング像の一部が歪んだりぼやけたりしてしまう。図１（ｃ）は、図１（ｂ）のリング像を図１（ｂ）に示す矢印方向に走査した場合の輝度分布を示す。被検眼の混濁によってリング像に歪みやぼやけが生じた箇所では、輝度分布が乱れる。この場合、上述した特許文献１に記載の従来技術では、リング像の重心座標を正しく算出することができず、その結果、楕円近似の精度が落ち、信頼度の低い眼屈折力情報の測定結果となってしまうという問題があった。
【０００６】
また、被検眼に目やに等の異物が付着し、眼底反射光が散乱してしまう場合にも、上述した被検眼の一部領域に混濁が存在する場合と同様に、信頼度の低い眼屈折力情報の測定結果となってしまうという問題が起こり得る。
【０００７】
即ち、従来の技術では、信頼度の高い、眼屈折力情報等の被検眼の固有特性情報を取得することが困難である場合があった。
【０００８】
本発明は、このような問題点に鑑みてなされたものであり、信頼度の高い被検眼の固有特性情報を取得することが可能な仕組みを提供することを目的とする。
【課題を解決するための手段】
【０００９】
本発明の眼科装置は、被検眼に光を照射して前記被検眼の検査を行う眼科装置であって、前記被検眼に照射する光と前記被検眼からの前記光の反射光とのうちの少なくとも１つをリング光束として通過させる光学部材と、前記リング光束に基づくリング像を含む画像を撮像する撮像手段と、前記画像に含まれるリング像を用いて前記被検眼の固有特性情報を取得する取得手段と、前記被検眼の混濁または前記被検眼に付着した異物による前記光の散乱によって生じる前記リング像のリング幅の不均一を低減するために、前記光学部材のリング幅を切り替える切替手段と、を有する。
本発明の眼科装置における他の態様は、被検眼に光を照射して前記被検眼の検査を行う眼科装置であって、前記被検眼に照射する光と前記被検眼からの前記光の反射光とのうちの少なくとも１つをリング光束として通過させる光学部材と、前記リング光束に基づくリング像を含む画像を撮像する撮像手段と、前記画像に含まれるリング像を用いて前記被検眼の固有特性情報を取得する取得手段と、前記光学部材のリング幅を切り替える切替手段と、を有する。
また、本発明は、上述した眼科装置の制御方法、並びに、当該制御方法をコンピュータに実行させるためのプログラムを含む。
【発明の効果】
【００１０】
本発明によれば、信頼度の高い被検眼の固有特性情報を取得することが可能となる。
【図面の簡単な説明】
【００１１】
【図１】被検眼の一部領域に混濁が存在する場合の前眼部画像、並びに、リング像を含む画像及びその輝度分布の一例を示す図である。
【図２】本発明の実施形態に係る眼科装置の概略構成の一例を示す外観図である。
【図３】図２に示す測定部の内部の光学系の配置の一例を示す模式図である。
【図４】図３に示す光学部材の一例を示す図である。
【図５】図３に示すアライメントプリズム絞りの構造の一例を示す図である。
【図６】本発明の実施形態に係る眼科装置のシステム構成の一例を示すブロック図である。
【図７】本発明の実施形態を示し、オートアライメント時の被検眼Ｅの前眼部画像の一例を示す図である。
【図８】本発明の実施形態に係る眼科装置の制御方法における処理手順の一例を示すフローチャートである。
【図９】本発明の実施形態を示し、被検眼の一部領域に混濁が存在する場合の前眼部画像、並びに、光学部材のリング幅を小さく（狭く）した場合のリング像を含む画像及びその輝度分布の一例を示す図である。
【図１０】本発明の実施形態を示し、光学部材のリング幅と被検眼に対する測定部のアライメントとの関係を説明するための図である。
【図１１】図３に示す光学部材の他の一例を示す図である。
【発明を実施するための形態】
【００１２】
以下に、図面を参照しながら、本発明を実施するための形態（実施形態）について説明する。なお、以下に示す本発明の実施形態においては、本発明に係る眼科装置の一例として、被検眼の眼屈折力値を測定する眼科装置について説明を行う。
【００１３】
図２は、本発明の実施形態に係る眼科装置の概略構成の一例を示す外観図である。図２に示す眼科装置は、被検者Ｈの被検眼Ｅに光を照射して被検眼Ｅの検査（具体的に、本実施形態では被検眼Ｅの眼屈折力値等の測定による検査）を行う装置である。この図２に示す眼科装置は、被検者Ｈの顎を受ける顎受け１１２を有するベース部１００と、ベース部１００上に設けられた駆動部１２０及び操作部１３０と、駆動部１２０上に取り付けられた測定部１１０を含み構成されている。
【００１４】
（ベース部１００）
ベース部１００には、被検者Ｈの被検眼Ｅの位置を固定するための被検眼位置固定機構が設けられている。被検眼位置固定機構は、顎受け１１２と、顎受けモータ１１３と、顔受けフレーム（不図示）を有して構成されている。被検者Ｈは、被検眼Ｅの眼屈折力等を測定を行う際に、顎受け１１２上に顎を乗せ、且つ、ベース部１００に固定されている顔受けフレーム（不図示）の額受け部分に額を押し当てることで、被検者Ｈの顔を固定し、被検眼Ｅの位置を固定させることができる。また、顎受け１１２は、被検者Ｈの顔のサイズ等に応じて、顎受けモータ１１３によりＹ軸方向に調整可能となっている。
【００１５】
（駆動部１２０）
駆動部１２０は、測定部１１０をＸＹＺ方向に移動（駆動）させるため、それぞれの軸に応じた駆動機構を有している。以下、各軸方向における駆動機構について説明する。
【００１６】
フレーム１０２は、ベース部１００（或いは被検者Ｈ）に対して左右方向（以下、「Ｘ軸方向（Ｘ方向）」と称する）に移動可能である。Ｘ軸方向の駆動機構は、ベース部１００上に固定されたＸ軸モータ１０３と、当該Ｘ軸モータ１０３の出力軸に連結された送りねじ（不図示）と、当該送りねじ上をＸ軸方向に移動可能でフレーム１０２に固定されたナット（不図示）を有して構成されている。Ｘ軸モータ１０３の回転により、送りねじ（不図示）、ナット（不図示）を介してフレーム１０２がＸ軸方向に移動する。
【００１７】
フレーム１０６は、フレーム１０２に対して上下方向（以下、「Ｙ軸方向（Ｙ方向）」と称する）に移動可能である。Ｙ軸方向の駆動機構は、フレーム１０２上に固定されたＹ軸モータ１０４と、当該Ｙ軸モータ１０４の出力軸に連結された送りねじ１０５と、送りねじ１０５上をＹ軸方向に移動可能でフレーム１０６に固定されたナット１１４を有して構成されている。Ｙ軸モータ１０４の回転により、送りねじ１０５、ナット１１４を介してフレーム１０６がＹ軸方向に移動する。
【００１８】
フレーム１０７は、フレーム１０６に対して前後方向（以下、「Ｚ軸方向（Ｚ方向）」と称する）に移動可能である。Ｚ軸方向の駆動機構は、フレーム１０７に固定されたＺ軸モータ１０８と、当該Ｚ軸モータ１０８の出力軸に連結された送りねじ１０９と、送りねじ１０９上をＺ軸方向に移動可能でフレーム１０６に固定されたナット１１５を有して構成されている。Ｚ軸モータ１０８の回転により、送りねじ１０９、ナット１１５を介してフレーム１０７がＺ軸方向に移動する。
【００１９】
（測定部１１０）
フレーム１０７上には、測定部１１０が固定されている。
測定部１１０は、被検者Ｈの被検眼Ｅにおける検査、観察、撮影、測定等を行うための光学系等を備えている。測定部１１０の被検者Ｈ側には、被検眼Ｅのアライメントや測定を行うための光源ユニット１１１が設けられている。また、測定部１１０の被検者Ｈ側とは反対側（不図示の検者側）には、検者が被検眼Ｅの観察等をするための表示部材であるＬＣＤモニタ１１６が設けられている。このＬＣＤモニタ１１６には、測定結果等を表示することができるようになっている。
【００２０】
（操作部１３０）
ベース部１００上には、ジョイスティック１０１を含む操作部１３０が設けられている。ジョイスティック１０１は、被検眼Ｅに対して測定部１１０の位置合わせするための操作部材である。検者は、ジョイスティック１０１を操作することにより、駆動部１２０等の駆動方向、駆動量、駆動速度等を指示し、測定部１１０の位置を被検眼Ｅに対してアライメント等して、検査、観察、撮影等を行う。
【００２１】
図３は、図２に示す測定部１１０の内部の光学系の配置の一例を示す模式図である。
【００２２】
波長８８０ｎｍ程度の光を照射する測定用光源２０１から被検眼Ｅに至る光路０１上には、レンズ２０２、被検眼Ｅの瞳孔Ｅｐと略共役な絞り２０３、孔あきミラー２０４、レンズ２０５、被検眼Ｅ側からの波長８８０ｎｍ未満の赤外光及び可視光を全反射し波長８８０ｎｍ以上の光束を一部反射するダイクロイックミラー２０６が順次に配設されている。
【００２３】
また、孔あきミラー２０４の反射方向の光路０２上には、被検眼Ｅの瞳孔Ｅｐと略共役な光学部材２０７、光束分光プリズム２０８、レンズ２０９、撮像素子２１０が順次配設されている。本実施形態では、光学部材２０７として、円環状のスリットを備えた絞りであるリング絞りを想定した例について説明を行うが、本発明においてはこのリング絞りに限定されるものではない。例えば、光学部材２０７として、特許文献２の図２に記載されているリングレンズ等を適用することも可能である。また、本発明においては、光学部材２０７は、被検眼Ｅに照射する光と被検眼Ｅからの光の反射光とのうちの少なくとも１つをリング光束として通過させるものであれば適用可能である。即ち、本発明における光学部材２０７としては、被検眼Ｅからの光の反射光をリング光束として通過させる構成以外に、被検眼Ｅに照射する光をリング光束として通過させる構成も適用可能である。この際、被検眼Ｅに照射する光をリング光束として通過させる構成としては、例えば、特許文献３の図２に記載されているリング状絞り等を適用することが可能である。
【００２４】
上述した光路０１及び光路０２に係る光学系は、眼屈折力測定光学系である。具体的に、図３において、光路０１に係る光学系は投影光学系に相当し、光路０２に係る光学系は撮像光学系に相当する。
ここで、測定用光源２０１から発せられた光束は、絞り２０３で光束が絞られつつ、レンズ２０２によりレンズ２０５の手前で１次結像され、レンズ２０５、ダイクロイックミラー２０６を透過して被検眼Ｅの瞳孔Ｅｐの中心に投光される。そして、この光束は眼底部Ｅｒで反射し、その反射光は瞳孔Ｅｐの中心を通って再びレンズ２０５に入射する。レンズ２０５に入射した光束は、レンズ２０５を透過後に孔あきミラー２０４の周辺で反射する。この反射した光束は、被検眼Ｅの瞳孔Ｅｐと略共役な光学部材２０７及び光束分光プリズム２０８で瞳分離され、撮像素子２１０の受光面にリング像として投影される。そして、撮像素子２１０は、リング像を含む画像を撮像する。この図３に示す例の場合、光学部材２０７は、入射した光束（被検眼Ｅからの反射光）をリング光束として通過させる。
【００２５】
リング像は、被検眼Ｅが正視眼であれば所定の円になり、近視眼では正視眼に対して円が小さく、遠視眼では正視眼に対して円が大きくなり投影される。また、リング像は、被検眼Ｅに乱視がある場合には楕円になり、水平軸と楕円の長軸でなす角度が乱視軸角度となる。そして、本実施形態に係る眼科装置では、この楕円の係数を基に眼屈折力値を求める。
【００２６】
ここで、図３に示す光学部材２０７について説明する。
図４は、図３に示す光学部材２０７の一例を示す図である。ここで、図４では、光学部材２０７において、入射した光束をリング光束として通過させる部分を黒色系の色で示している。図４に示す例では、光学部材２０７として、輪帯幅（以下「リング幅」と称する）が異なる複数の光学部材（具体的に図４では２つの光学部材２０７ａ及び２０７ｂ）が設けられており、それぞれが切り替え可能に構成されている。図３に示す例では、図４に示すリング幅が異なる２つの光学部材２０７ａ及び２０７ｂに関して、光学部材変更ソレノイド（不図示：図６の４１４）で駆動する光学部材切替手段２２５により、光路０２に配置する光学部材を切り替え可能に構成されている。なお、図４では、光学部材２０７ａ及び２０７ｂは、リング径が等しく（ｒ１＝ｒ２）、リング幅のみが異なる（ｄ１＞ｄ２）ものとなっている。
【００２７】
ここで、再び、図３の説明に戻る。
一方、ダイクロイックミラー２０６の反射方向には、固視標投影光学系と、被検眼Ｅの前眼部観察とアライメント検出が共用されるアライメント受光光学系が配設されている。
【００２８】
固視標投影光学系の光路０３上には、レンズ２１１、ダイクロイックミラー２１２、レンズ２１３、折り返しミラー２１４、レンズ２１５、固視標２１６、固視標照明用光源２１７が順次配設されている。固視誘導時に、点灯された固視標照明用光源２１７の投影光束は、固視標２１６を裏側から照明し、レンズ２１５、折り返しミラー２１４、レンズ２１３、ダイクロイックミラー２１２、レンズ２１１を介して、被検眼Ｅの眼底部Ｅｒに投影される。なお、レンズ２１５は、被検眼Ｅの視度誘導を行い、雲霧状態を実現するために、固視標誘導モータ２２４により光軸方向に移動できるようになっている。
【００２９】
また、ダイクロイックミラー２１２の反射方向の光路０４には、アライメント受光光学系が構成されている。光路０４上には、アライメントプリズム絞り挿抜ソレノイド（不図示：図６の４１１）により挿抜されるアライメントプリズム絞り２２３、レンズ２１８、撮像素子２２０が順次配設されている。アライメントプリズム絞り２２３の挿抜により、アライメントプリズム絞り２２３が光路０４上にあるときにはアライメントを行うことができ、アライメントプリズム絞り２２３が光路０４上から退避しているときには前眼部観察または徹照観察を行うことができる。
【００３０】
図５は、図３に示すアライメントプリズム絞り２２３の構造の一例を示す図である。
アライメントプリズム絞り２２３には、円盤状の絞り板に、３つの開口部２２３ａ，２２３ｂ，２２３ｃが設けられている。また、両端の開口部２２３ａ及び２２３ｂのダイクロイックミラー２１２側には、それぞれ、波長８８０ｎｍ付近のみの光束を透過するアライメントプリズム３０１ａ及び３０１ｂが貼付されている。
【００３１】
ここで、再び、図３の説明に戻る。
被検眼Ｅの前眼部の斜め前方には、波長７８０ｎｍ程度の光を照射する前眼部照明用光源２２１ａ及び２２１ｂが配置されている。この前眼部照明用光源２２１ａ及び２２１ｂによって照明された被検眼Ｅの前眼部像の光束は、ダイクロイックミラー２０６、レンズ２１１、ダイクロイックミラー２１２、アライメントプリズム絞り２２３の中央の開口部２２３ｃを介して撮像素子２２０の受光センサ面に結像する。
【００３２】
アライメント検出のための光源は、眼屈折力測定用の光源である測定用光源２０１と兼用されている。アライメント時には、拡散板挿抜ソレノイド（不図示：図６の４１０）により、半透明の拡散板２２２が光路０１に挿入される。この際、拡散板２２２が挿入される位置は、上述した測定用光源２０１のレンズ（投影レンズ）２０２による略一次結像位置であり、且つ、レンズ２０５の焦点位置に挿入される。これにより、測定用光源２０１の像が拡散板２２２上に一旦結像して、それが二次光源となりレンズ２０５から被検眼Ｅに向かって太い光束の平行光束として投影される。この平行光束は、被検眼Ｅの角膜Ｅｃで反射されて輝点像を形成し、再びダイクロイックミラー２０６でその一部が反射し、レンズ２１１を介してダイクロイックミラー２１２で反射し、アライメントプリズム絞り２２３の開口部２２３ｃ並びにアライメントプリズム３０１ａ及び３０１ｂを透過し、レンズ２１８に収斂されて撮像素子２２０に結像する。
【００３３】
図５に示すアライメントプリズム絞り２２３の中央の開口部２２３ｃは、前眼部照明用光源２２１ａ及び２２１ｂの波長７８０ｎｍ以上の光束が通るようになっている。このため、前眼部照明用光源２２１ａ及び２２１ｂにより照明された前眼部像の反射光束は、角膜Ｅｃの反射光束の経路と同様に観察光学系を辿り、アライメントプリズム絞り２２３の開口部２２３ｃを介して、レンズ２１８によって撮像素子２２０に結像される。また、アライメントプリズム３０１ａを透過した光束は下方向に屈折し、アライメントプリズム３０１ｂを透過した光束は上方向に屈折する。アライメントプリズム絞り２２３を介したこれらの光束の位置関係により、被検眼Ｅのアライメントを行うことができる。
【００３４】
図６は、本発明の実施形態に係る眼科装置のシステム構成の一例を示すブロック図である。図６において、図２及び図３に示す構成と同様の構成については、同じ符号を付している。
【００３５】
システム制御部４０１は、本実施形態に係る眼科装置のシステム全体を制御するものである。このシステム制御部４０１は、プログラム記憶部、眼屈折力値を補正するためのデータ等が記憶されたデータ記憶部、各種のデバイスとの入出力を制御する入出力制御部、各種のデバイスから得られたデータを演算する演算処理部等を有している。
【００３６】
被検眼Ｅに対して測定部１１０の位置合わせ及び測定部１１０による測定開始を行うためのジョイスティック１０１からの入力は、Ｘ、Ｚ軸傾倒角度入力部４０２、Ｙ軸エンコーダ入力部４０３の各デバイスを介してシステム制御部４０１に入力される。具体的に、ジョイスティック１０１を前後左右に傾けたときは、Ｘ、Ｚ軸傾倒角度入力部４０２を介して、その信号がシステム制御部４０１に入力される。また、ジョイスティック１０１を回転させたときには、Ｙ軸エンコーダ入力部４０３を介して、その信号がシステム制御部４０１に入力される。また、測定開始スイッチ４０４は、ジョイスティック１０１に配置され、測定開始信号をシステム制御部４０１に入力するようになっている。
【００３７】
さらに、ベース部１００上の操作パネル４０５、各種位置センサ４０６、左右エンコーダ入力部４０７からの信号や、情報入力部４１５からの情報がシステム制御部４０１に入力されるようになっている。操作パネル４０５には、印字ボタンや顎受け上下ボタン、選択ボタン等が配置されており、ボタン入力時にシステム制御部４０１に信号が入力される。情報入力部４１５は、例えば検者からの各種の情報をシステム制御部４０１に入力する。
【００３８】
撮像手段である撮像素子２２０で撮像された被検眼Ｅの前眼部画像は、システム制御部４０１を介してメモリ４０８に格納される。システム制御部４０１は、メモリ４０８に格納された画像から被検眼Ｅの瞳孔Ｅｐと角膜反射像を抽出してアライメント検出を行う。また、撮像素子２２０で撮像された被検眼Ｅの前眼部画像は、文字や図形のデータと合成され、ＬＣＤモニタ１１６上に測定値等とともに表示される。
【００３９】
また、撮像手段である撮像素子２１０で撮像された眼屈折力算出用リング像を含む画像は、システム制御部４０１を介してメモリ４０８に格納される。また、撮像素子２１０で撮影された眼屈折力算出用リング像を含む画像は、当該画像の画像処理結果等とともにＬＣＤモニタ１１６上に表示される。
【００４０】
また、ソレノイド駆動回路４０９は、システム制御部４０１の指令に基づいて、拡散板挿抜ソレノイド４１０、アライメントプリズム絞り挿抜ソレノイド４１１、光学部材変更ソレノイド４１４をそれぞれ駆動する。
【００４１】
また、光源駆動回路４１２は、システム制御部４０１の指令に基づいて、測定用光源２０１、前眼部照明用光源２２１ａ及び２２１ｂ、固視標照明用光源２１７をそれぞれ駆動する。これにより、測定用光源２０１、前眼部照明用光源２２１ａ及び２２１ｂ、固視標照明用光源２１７は、光源駆動回路４１２を介して、システム制御部４０１からの指令により、点灯、消灯、光量変更等がなされる。
【００４２】
また、モータ駆動回路４１３は、システム制御部４０１の指令に基づいて、顎受けモータ１１３、Ｘ軸モータ１０３、Ｙ軸モータ１０４、Ｚ軸モータ１０８、固視標誘導モータ２２４をそれぞれ駆動する。
【００４３】
次に、以上のような構成を備える眼科装置における動作について説明する。
【００４４】
図７は、本発明の実施形態を示し、オートアライメント時の被検眼Ｅの前眼部画像の一例を示す図である。図７に示すように、アライメント時には、被検眼Ｅの角膜Ｅｃによって結像した角膜輝点は、アライメントプリズム絞り２２３の開口部２２３ａ、２２３ｂ及び２２３ｃ、並びに、アライメントプリズム３０１ａ及び３０１ｂにより分割される。そして、分割された角膜輝点は、前眼部照明用光源２２１ａ及び２２１ｂによって照明された被検眼Ｅと、前眼部照明用光源２２１ａ及び２２１ｂの輝点像２２１ａ'及び２２１ｂ'とともに、撮像素子２２０で指標像Ｔａ、Ｔｂ及びＴｃとして撮像される。
【００４５】
３つの指標像（輝点）Ｔａ、Ｔｂ及びＴｃが検出できると、システム制御部４０１は、モータ駆動回路４１３を制御し、中心の指標像（輝点）Ｔｃを中心方向に一致させるように測定部１１０を上下左右方向に駆動させる。次いで、システム制御部４０１は、指標像（輝点）Ｔａ及びＴｂが指標像（輝点）Ｔｃに対して水平方向に並ぶようにさらに測定部１１０を前後方向に駆動させ、３つの指標像（輝点）Ｔａ、Ｔｂ及びＴｃが水平方向に１列に並んだ状態でアライメントを完了する。
【００４６】
また、眼屈折力値を測定するために、システム制御部４０１は、オートアライメントのために光路０１に挿入していた拡散板２２２を光路０１から退避させる。そして、システム制御部４０１は、測定用光源２０１の光量を調整し、被検眼Ｅの眼底部Ｅｒに測定光束を投影する。被検眼Ｅの眼底部Ｅｒからの反射光は、光路０２を辿り、撮像素子２１０で受光される。この際、眼底部像は、被検眼Ｅの眼屈折力により、光学部材２０７によってリング状に投影される。そして、撮像素子２１０は、このリング状のリング像を含む画像を撮像する。この撮像素子２１０で撮像された画像は、メモリ４０８に格納される。
【００４７】
そして、システム制御部４０１は、メモリに格納されている画像に含まれるリング像を近似して楕円を算出し、さらに、算出した楕円の長径と短径及び長径軸の傾きを算出して、被検眼Ｅの眼屈折力値を求める。そして、システム制御部４０１は、求めた眼屈折力値からその眼屈折力値に相当する位置まで、モータ駆動回路４１３を介して固視標誘導モータ２２４を駆動し、レンズ２１５を移動して、被検眼Ｅの屈折度に相当する屈折度で固視標２１６を被検眼Ｅに呈示する。その後、システム制御部４０１は、レンズ２１５を所定量だけ遠方に移動し、固視標２１６を雲霧させ、再度、測定用光源２０１を点灯して眼屈折力値を測定する。このように、眼屈折力値の測定→固視標２１６による雲霧→眼屈折力値の測定を繰り返すことで、眼屈折力値が安定する最終の測定値を得ることができる。
【００４８】
次に、本実施形態に係る眼科装置の制御方法における処理手順について説明する。
図８は、本発明の実施形態に係る眼科装置の制御方法における処理手順の一例を示すフローチャートである。
【００４９】
検者は、眼科装置の顎受け１１２に被検者Ｈの顎を乗せさせ、被検眼ＥのＹ軸方向が所定の高さになるように、顎受け１１２を顎受けモータ１１３により調整する。そして、検者は、ＬＣＤモニタ１１６に被検眼Ｅの角膜反射像が表示される位置までジョイスティック１０１を操作し、測定開始ボタンを押下する。測定開始ボタンが押下されると、まず、ステップＳ８０１において、システム制御部４０１は、オートアライメントを開始する。具体的に、システム制御部４０１は、メモリ４０８に格納されている被検眼Ｅの前眼部画像から、角膜反射像を抽出し、上述のアライメント方法でアライメントを行う。
【００５０】
続いて、ステップＳ８０２において、システム制御部４０１は、上述の方法で被検眼Ｅの眼底部Ｅｒに測定光束を投影する制御を行う。その後、被検眼Ｅからの測定光束の反射光が光学部材２０７を介してリング光束として撮像素子２１０に入射する。そして、撮像素子２１０は、光学部材２０７を通過したリング光束に基づくリング像を含む画像を撮像する。このリング像を含む画像を撮像する撮像素子２１０は、撮像手段を構成する。また、そして、システム制御部４０１は、撮像素子２１０で得られた画像をメモリ４０８に格納する。
【００５１】
続いて、ステップＳ８０３において、システム制御部４０１は、ステップＳ８０２で得られた画像において複数の方向（例えば、水平方向、垂直方向、及び、斜め方向（２方向）の合計４方向）にリング像を走査し、リング像に相当する複数の部分を検出する。ここでは、例えば、図１（ｃ）（或いは後述する図９（ｃ））に示す輝度検出閾値以上の部分を、リング像に相当する部分として検出する。
【００５２】
続いて、ステップＳ８０４において、システム制御部４０１は、ステップＳ８０３における複数の方向の走査により得られた、リング像に相当する複数の部分を、最小二乗法で楕円近似して、楕円を算出する。この楕円を算出するシステム制御部４０１は、楕円算出手段を構成する。
【００５３】
続いて、ステップＳ８０５において、システム制御部４０１は、ステップＳ８０４で算出した楕円における長径と短径及び長径軸の傾きを算出して、測定値となる被検眼Ｅの眼屈折力値（眼屈折力情報）を算出する。このように、本実施形態では、被検眼Ｅの固有特性情報として眼屈折力情報を取得するものであり、この眼屈折力情報を取得するシステム制御部４０１は、取得手段を構成する。
【００５４】
さらに、ステップＳ８０５において、システム制御部４０１は、ステップＳ８０４で楕円を算出した際の近似の精度に基づいて、本ステップで得た測定値である被検眼Ｅの眼屈折力値における信頼度を算出する。この信頼度を算出するシステム制御部４０１は、信頼度算出手段を構成する。具体的に、本ステップでは、システム制御部４０１は、ステップＳ８０３で検出したリング像に相当する複数の部分と、ステップＳ８０４で算出した楕円との差分に従って、測定値である被検眼Ｅの眼屈折力値における信頼度を算出する。ここでは、ステップＳ８０３で検出したリング像に相当する複数の部分と、ステップＳ８０４で算出した楕円との差分が小さいほど、測定値である被検眼Ｅの眼屈折力値における信頼度が高く算出される。
【００５５】
続いて、ステップＳ８０６において、システム制御部４０１は、光学部材２０７を異なるリング幅の光学部材に変更するか否かを判断する。図８に示す例では、ステップＳ８０６の判断基準の一例として、ステップＳ０５で算出した信頼度が所定閾値よりも高くないか否かに応じて、異なるリング幅の光学部材に変更するか否かを判断する。
【００５６】
ここで、例えば、被検眼Ｅの一部領域に混濁が存在する場合や被検眼Ｅに異物が付着した場合、被検眼Ｅの混濁や被検眼Ｅに付着した異物による光の散乱によって、ステップＳ８０２で撮像されるリング像の歪みやぼやけが生じてしまう。即ち、ステップＳ８０２で撮像されるリング像のリング幅の不均一が生じてしまう。この場合、ステップＳ８０４で楕円近似をして楕円を算出する際に、被検眼Ｅの混濁や被検眼Ｅに付着した異物に相当する部分の影響でリング像の検出誤差が大きくなってしまう。そして、この場合、ステップＳ８０５で算出される被検眼Ｅの眼屈折力値（眼屈折力情報）は、被検眼Ｅの混濁や被検眼Ｅに付着した異物の影響により、信頼度の低い測定値が算出されてしまう。
【００５７】
そこで、図８に示す例では、ステップＳ８０６において、システム制御部４０１は、ステップＳ０５で算出した信頼度が所定閾値よりも高くない場合には、異なるリング幅の光学部材に変更すると判断し（Ｓ８０６／Ｙｅｓ）、ステップＳ８０７に進む。
ステップＳ８０７に進むと、光学部材切替手段２２５は、システム制御部４０１の制御に基づき、光路０２上に挿入する光学部材２０７を、現在のリング幅とは異なるリング幅の光学部材に変更する。具体的には、ステップＳ０５で算出した信頼度が所定閾値よりも高くない場合、光学部材切替手段２２５は、システム制御部４０１の制御に基づき、光路０２上に挿入する光学部材２０７を、現在のリング幅よりも小さい（狭い）リング幅の光学部材に変更する。例えば、現在、光路０２上に挿入されている光学部材２０７が図４の光学部材２０７ａである場合、図４の光学部材２０７ｂに変更する。
【００５８】
図９は、本発明の実施形態を示し、被検眼の一部領域に混濁が存在する場合の前眼部画像、並びに、光学部材２０７のリング幅を小さく（狭く）した場合のリング像を含む画像及びその輝度分布の一例を示す図である。具体的に、図９（ａ）は、被検眼の一部領域に混濁が存在する場合の前眼部画像を示す。また、図９（ｂ）は、図１（ｂ）に示す場合と比べて光学部材２０７のリング幅を小さく（狭く）した場合のリング像を含む画像を示す。また、図９（ｃ）は、図９（ｂ）のリング像を図９（ｂ）に示す矢印方向に走査した場合の輝度分布を示す。測定光束を変更しなければ、光学部材２０７のリング幅を小さく（狭く）した分、撮像素子２１０で受光する光量は少なくなって輝度分布のピーク値は下がってしまうが、被検眼の混濁や被検眼Ｅに付着した異物による光の散乱の影響が軽減された急峻な輝度分布を得ることが可能となる（図９（ｃ）及び図１（ｃ）参照）。これにより、ステップＳ８０３でのリング像に相当する部分の検出精度を向上させることができ、その結果、ステップＳ８０５で算出される被検眼Ｅの眼屈折力値（眼屈折力情報）を信頼度の高い測定値とすることができる。即ち、ステップＳ８０７では、光学部材切替手段２２５は、被検眼Ｅの混濁または被検眼Ｅに付着した異物による光の散乱によって生じるリング像のリング幅の不均一を低減するために、光学部材２０７のリング幅を切り替える。
【００５９】
ステップＳ８０７の処理が終了すると、ステップＳ８０２に戻る。
そして、ステップＳ８０２に戻ると、撮像素子２１０は、ステップＳ８０７において光学部材切替手段２２５によりリング幅が切り替えられた光学部材２０７を通過したリング光束に基づくリング像を含む画像を再度撮像する。
その後、ステップＳ８０３に進むと、システム制御部４０１は、上述した再度撮像により得られた画像において複数の方向にリング像を走査し、リング像に相当する複数の部分を再度検出する。
その後、ステップＳ８０４に進むと、システム制御部４０１は、上述した再度撮像により得られた画像に含まれるリング像を近似して楕円を再度算出する。具体的には、上述した再度検出により得られたリング像に相当する複数の部分を、最小二乗法で楕円近似して、楕円を再度算出する。
その後、ステップＳ８０５に進むと、システム制御部４０１は、ステップＳ８０４で再度算出した楕円における長径と短径及び長径軸の傾きを算出して、測定値となる被検眼Ｅの眼屈折力値（眼屈折力情報）を再度算出して再度取得する。さらに、システム制御部４０１は、ステップＳ８０４で楕円を再度算出した際の近似の精度に基づいて、本ステップで再度取得した測定値である被検眼Ｅの眼屈折力値における信頼度を算出する。
その後、再び、ステップＳ８０６に進み、光学部材２０７を異なるリング幅の光学部材に変更するか否かを判断する。
【００６０】
一方、ステップＳ８０６の判断の結果、光学部材２０７を異なるリング幅の光学部材に変更しない場合には（Ｓ８０６／Ｎｏ）、ステップＳ８０８に進む。
ステップＳ８０８に進むと、システム制御部４０１は、光学部材２０７を異なるリング幅の光学部材に変更しないと判断された際の、ステップＳ８０５で算出した被検眼Ｅの眼屈折力値及び信頼度の値をＬＣＤモニタに表示等の出力処理を行う。なお、本ステップにおいて、ステップＳ８０５で算出された被検眼Ｅの眼屈折力値及び信頼度の値を、外部装置に送信等する出力処理を行うようにしてもよい。この出力処理を行うシステム制御部４０１は、出力手段を構成する。
【００６１】
ステップＳ８０８の処理が終了すると、図８に示すフローチャートの処理が終了する。
【００６２】
なお、上述した例では、ステップＳ８０６における光学部材２０７を異なるリング幅の光学部材に変更するか否かを判断基準として、ステップＳ０５で算出した信頼度が所定閾値よりも高くないか否かに応じて判断を行う態様を示した。しかしながら、本実施形態においてはこの態様に限定されるものではなく、例えば、以下の態様を適用することが可能である。
例えば、検者が情報入力部４１５から入力した被検眼Ｅの診断結果に係る情報または被検眼Ｅの検査モードに係る情報に基づいて、ステップＳ８０６における光学部材２０７を異なるリング幅の光学部材に変更するか否かを判断する態様であってもよい。この態様の場合、ステップＳ８０７では、光学部材切替手段２２５は、情報入力部４１５から入力された情報に応じて光学部材２０７のリング幅を切り替えることになる。例えば、情報入力部４１５から入力された被検眼Ｅの診断結果に係る情報が被検眼Ｅに混濁が存在することを示す情報である場合には、ステップＳ８０７では、例えば、光学部材２０７のリング幅を、現在のリング幅よりも小さいリング幅の光学部材に変更する。また、例えば、情報入力部４１５から入力された被検眼Ｅの検査モードに係る情報が通常検査モードと比べて高精度を要する高精度検査モードに係る情報である場合には、ステップＳ８０７では、例えば、光学部材２０７のリング幅を、現在のリング幅よりも小さいリング幅の光学部材に変更する。
また、例えば、検者が操作パネル４０５を介して所定リング幅の光学部材の選択指示を行った場合に、当該選択指示に基づいて、ステップＳ８０６における光学部材２０７を異なるリング幅の光学部材に変更するか否かを判断する態様であってもよい。この態様の場合、システム制御部４０１は、検者からの選択指示に従って複数の光学部材の中から１つの光学部材を選択する。この選択を行うシステム制御部４０１は、選択手段を構成する。そして、この態様の場合、ステップＳ８０７では、光学部材切替手段２２５は、システム制御部４０１で選択された光学部材２０７に変更する。
【００６３】
また、ステップＳ０８において出力する情報としては、信頼度の高い測定値のみを出力する態様や、信頼度の低い測定値も出力する態様、信頼度に関わらず全ての測定値及び信頼度を出力する態様などの様々な態様を採ることが可能である。
【００６４】
また、図８のステップＳ８０７において、リング幅の小さい（狭い）光学部材２０７に変更する場合には、上述したように撮像素子２１０で受光する光量が少なくなり、輝度分布のピーク値が下がってしまうことが考えられる。これに対しては、例えば、測定光束の光量を変更したり（例えば光量を上げる）、撮像素子２１０のゲインを変更したり、図９（ｃ）に示す輝度検出閾値を変更等するようにして実施をしてもよい。
【００６５】
次に、光学部材２０７の他の例について説明する。
図１１は、図３に示す光学部材２０７の他の一例を示す図である。この図１１において、図４に示す構成と同様の構成については同じ符号を付している。また、図１１では、光学部材２０７において、入射した光束をリング光束として通過させる部分を黒色系の色で示している。
【００６６】
図４に示す例では、リング径が等しくリング幅のみが異なる光学部材２０７ａ及び２０７ｂを切り替え可能な光学部材２０７を示したが、本実施形態では、この態様に限定されるものではない。例えば、図１１に示すように、この光学部材２０７ａ及び２０７ｂに加えて、光学部材２０７ａ及び２０７ｂとはリング径が異なる（リング径が小さい）光学部材２０７ｃ及び２０７ｄも切り替え可能な光学部材２０７を構成してもよい。例えば、被検眼Ｅが小瞳孔の場合には、リング径が光学部材２０７ａ及び２０７ｂよりも小さく、また相互にリング幅の異なる光学部材２０７ｃ及び２０７ｄを切り替えるようにして、上述した例と同様に測定精度向上を図るようにしてもよい。即ち、図１１に示す光学部材２０７では、光学部材切替手段２２５は、被検眼の瞳孔の大きさに応じて光学部材のリング径を更に切り替えることができる。
【００６７】
なお、小瞳孔であるか否かの判断は、例えば、図９に示すような被検眼Ｅの前眼部画像を撮像し、システム制御部４０１がその画像を画像処理して瞳孔の大きさを検出し、検出した瞳孔の大きさが所定閾値未満である場合に小瞳孔であると自動判断してもよい。また、例えば、図９に示すような被検眼Ｅの前眼部画像をＬＣＤモニタ１１６に表示し、これを見た検者自身が小瞳孔であるか否かを判断するようにしてもよい。この場合には、検者による小瞳孔であるか否かの判断結果の情報を情報入力部４１５からシステム制御部４０１に入力する態様を採る。
【００６８】
次に、光学部材２０７のリング幅と被検眼Ｅに対する測定部１１０のアライメントとの関係について説明する。
図１０は、本発明の実施形態を示し、光学部材２０７のリング幅と被検眼Ｅに対する測定部１１０のアライメントとの関係を説明するための図である。
【００６９】
具体的に、図１０（ａ）は、光学部材２０７のリング幅が大きい（広い）場合を示している。この図１０（ａ）において、リング光束１００１は、被検眼Ｅに対して測定部１１０のアライメントが正確に行われた場合にリング像として撮像される光束を疑似的に示している。リング光束１００２は、被検眼Ｅに対して測定部１１０のアライメントがずれてしまった場合にリング像として撮像される光束を疑似的に示している。
【００７０】
また、図１０（ｂ）は、光学部材２０７のリング幅が小さい（狭い）場合を示している。この図１０（ｂ）において、リング光束１００３は、被検眼Ｅに対して測定部１１０のアライメントが正確に行われた場合にリング像として撮像される光束を疑似的に示している。リング光束１００４は、被検眼Ｅに対して測定部１１０のアライメントがずれてしまった場合にリング像として撮像される光束を疑似的に示している。
【００７１】
図１０（ａ）に示すように、光学部材２０７のリング幅がある程度大きい（広い）場合には、リング光束の幅も大きく（広く）なるため、リング光束１００１とリング光束１００２とは重なる領域が多く、測定値としての変動は小さい。しかしながら、図１０（ｂ）に示すように、光学部材２０７のリング幅が小さい（狭い）場合には、測定部１１０のアライメントがずれると、リング光束１００３とリング光束１００４との重なる領域が少なくなる。このため、被検眼Ｅの異なる領域の眼屈折力値を測定してしまうこととなり、アライメントの精度によって測定値が大きく変動してしまうことが考えられる。この対策として、本実施形態に係る眼科装置のように、被検眼Ｅの前眼部を観察するアライメント光学系を設け、オートアライメントを実施することでアライメント精度を維持することも可能である。
【００７２】
また、図３に示す例では、孔あきミラー２０４の孔部の方向に測定用光源２０１を配置し、孔あきミラー２０４の反射方向に光学部材２０７、光束分光プリズム２０８及び撮像素子２１０を配置するものであった。即ち、図３に示す例では、光学部材２０７を、眼科装置の撮像光学系に構成する態様であった。
しかしながら、本実施形態においては、この態様に限定されるものではなく、例えば、光学部材２０７を、眼科装置の投影光学系に構成する態様も適用可能である。この態様の場合、例えば、孔あきミラー２０４の反射方向に、リング幅を変更できる光学部材２０７や光束分光プリズム２０８等を介しその後方に測定用光源２０１を配置し、被検眼Ｅの眼底部Ｅｒにリング状の測定指標像を投影する。そして、孔あきミラー２０４の孔部の方向に絞り径を変更できる測定絞りやレンズ等を介して撮像素子２１０を配置し、リング指標像を測定像として撮像する。このとき、上述したリング幅を変更できる光学部材と上述した絞り径を変更できる測定絞りとは、連動して切り替るかもしくはどちらか一方を切り替える構成としてもよい。
【００７３】
本実施形態によれば、被検眼Ｅに混濁が存在する場合や被検眼Ｅに異物が付着した場合であっても、信頼度の高い被検眼Ｅの眼屈折力情報（被検眼Ｅの固有特性情報）を取得することが可能となる。
【００７４】
（その他の実施形態）
なお、上述した本発明の実施形態では、光学部材２０７として、リング幅（更にはリング径）が異なる複数の光学部材を設け、光学部材切替手段２２５においてこれら複数の光学部材を切り替えることにより、光学部材２０７のリング幅（更にはリング径）を切り替える構成としたが、本発明においてはこの形態に限定されるものではない。例えば、リング幅（更にはリング径）を可変可能な１つの光学部材２０７を設け、光学部材切替手段２２５において当該１つの光学部材２０７のリング幅（更にはリング径）を切り替える形態も本発明に適用可能である。
【００７５】
また、上述した本発明の実施形態では、被検眼Ｅの固有特性情報として、被検眼Ｅの眼屈折力情報を取得する例について説明を行ったが、本発明はこの形態に限定されるものではない。例えば、被検眼Ｅの固有特性情報として、既知の手法を用いてリング像から、被検眼Ｅの角膜に浮腫等のある角膜疾患を診断するために被検眼Ｅの角膜曲率半径情報を取得する形態も、本発明に適用可能である。
また、本発明においては、被検眼Ｅの固有特性情報として、被検眼Ｅの眼屈折力情報及び被検眼Ｅの角膜曲率半径情報の両方を取得する形態も適用可能である。
【００７６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００７７】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７８】
２０１  測定用光源、２０２  レンズ、２０３  絞り、２０４  孔あきミラー、２０５  レンズ、２０６  ダイクロイックミラー、２０７  光学部材、２０８  光束分光プリズム、２０９  レンズ、２１０  撮像素子、２１１  レンズ、２１２  ダイクロイックミラー、２１３  レンズ、２１４  折り返しミラー、２１５  レンズ、２１６  固視標、２１７  固視標照明用光源、２１８  レンズ、２２０  撮像素子、２２１ａ，２２１ｂ  前眼部照明用光源、２２２  拡散板、２２３  アライメントプリズム絞り、２２４  固視標誘導モータ、２２５  光学部材切替手段、Ｅ  被検眼、Ｅｃ  角膜、Ｅｐ  瞳孔、Ｅｒ  眼底部
【図２】
2017051429.tif 000003
【図５】
2017051429.tif 000004
【図６】
2017051429.tif 000005
【図８】
2017051429.tif 000006
【図１】
2017051429.tif 000007
【図３】
2017051429.tif 000008
【図４】
2017051429.tif 000009
【図７】
2017051429.tif 000010
【図９】
2017051429.tif 000011
【図１０】
2017051429.tif 000012
【図１１】
2017051429.tif 000013